(57)【要約】【課題】  レコード盤のアナログ信号に基づきディジタル式記録媒体からの再生ディジタル信号をシリアルなタイムデータで対応付けて出力制御させ得るディジタル信号再生システムにおいて、前記レコード盤の再生演奏が単位時間当りで相異なった回転数であっても再生ディジタル信号の出力制御が可能であり、よってノーマル回転で単位時間当りの回転数が一種類のレコード盤だけで済み、且つ、再生ディジタル信号の出力制御に支障が生じないことを目的とする。【解決手段】  レコード盤２をレコードプレーヤ装置３によって毎分３３と１／３回転と毎分４５回転の回転数で演奏回転させると、それぞれの回転数に対応してレコード盤２から相異なるアナログ信号が生成されるが、ＣＰＵ１５はその生成された相異なるアナログ信号に基づきそれぞれの単位時間当りの回転数に対応してディジタル信号の出力を行うようにＤＳＰ２１を制御する構成とした。【選択図】      図１                            
2005276318.tif 000002
【特許請求の範囲】
【請求項１】
レコード盤を単位時間当りで相異なる複数の回転数で再生演奏するレコードプレーヤ装置と、そのレコードプレーヤ装置で再生演奏でピックアップされると、そのピックアップされている部位の位置、回転の方向及び回転の速さを示すシリアルにタイムデータ化された情報がアナログ信号で生成されるレコード盤と、シリアルにタイムデータ化されたディジタルデータを記録媒体から再生して得られる再生信号を、そのシリアルなタイムデータに対応させて前記レコード盤からのアナログ信号に基づき出力し得るディジタル信号再生手段が備えられ、
上記レコード盤が、単位時間当りで相異なる複数の回転数から任意に選択した回転数で上記レコードプレーヤ装置で再生演奏されると、レコード盤からのアナログ信号を前記選択した時間当りの回転数に対応して、記録媒体から再生して得られる上記再生信号が出力させるように構成されたディジタル信号再生システム。
【請求項２】
レコードプレーヤ装置でレコード盤の再生演奏の単位時間当りの回転数が切換えられた際には、その切換えの時点から切換えで求めた新たな単位時間当りの回転数でターンテーブル７が回転するように擬似的に補完する切換え補完手段が備えられてなる請求項１に記載のディジタル信号再生システム。
【請求項３】
切換え補完手段が、ディジタル信号再生手段の側にメモリを有するＣＰＵが備えられ、そのＣＰＵが、レコード盤の再生演奏の側からの単位時間当りの回転数を切換える旨のインフォメーション信号を受け取ると、レコード盤の単位時間当りの回転数が切換わるに要する時間の間だけ単位時間当りの回転数が切換わり中のレコード盤からのアナログ信号が示す移動量と角速度を無視し、新たな単位時間当りの回転数の条件下での移動量と角速度に基づいて再生ディジタルデータの出力を制御し、レコード盤の側が安定して切換わった新たな単位時間当りの回転数で回転する状態になるまでに要する時間の間だけ経過するとそれに対応して再生ディジタルデータの出力を制御するように機能する請求項２に記載のディジタル信号再生システム。
【請求項４】
レコード盤をレコードプレーヤ装置で再生演奏を行う際の単位時間当りの回転数は、演奏者が任意に選択する構成である請求項１から３に記載のディジタル信号再生システム。
【発明の詳細な説明】
【技術分野】
【０００１】
レコード盤からのアナログ信号に基づいて、コンパクト・ディスク（以下、ＣＤと称する）やミニ・ディスク等からのディジタル信号が制御されて出力されるディジタル信号再生システムが知られている。
つまり、レコードプレーヤ装置による本来の演奏とは異なって、演奏者がレコード盤に対して手動の力を加えて所望の位置で所望の回転の速さ、所望の回転の方向に演奏することで、本来の演奏で得られるとは異なった音声を出力させる演奏方法、所謂スクラッチ演奏方法が知られている。他方、ＣＤ等のディジタル信号で記録された記録媒体を再生演奏する場合には、レコード盤におけるスクラッチ演奏を得ることはできない。
【０００２】
このことに対して、レコード盤からのアナログ信号に基づいてＣＤ等からのディジタル信号の出力を制御可能とし、ディジタル信号に関してもスクラッチ演奏が可能な構成のディジタル信号再生システムが知られている。
【０００３】
この発明は、レコード盤アナログ信号に基づいてディジタル信号が制御されて出力されるディジタル信号再生システムに関し、特に、レコード盤の演奏される単位時間当りの回転数が異なる場合の対応に関する。
【背景技術】
【０００４】
上述した目的及び構成に対応したディジタル信号再生システムとして、本願発明者が既に発明して特許出願したディジタル信号再生システムがある。
しかし、当該ディジタル信号再生システムではレコードプレーヤ装置によって回転演奏されるレコード盤は単位時間当りの回転数がただ一通りのものが示されていた。
【０００５】
【特許文献１】特願２００３−４１１７５１
【発明の開示】
【発明が解決しようとする課題】
【０００６】
特願２００３−４１１７５１に係るディジタル信号再生システムでは、レコードプレーヤ装置によって回転されるレコード盤として、演奏時間が約２０分のＬＰ盤のみが開示されている。
つまり、同特許出願の書類には、ＬＰレコード盤の単位時間当りの回転数である毎分３３と１／３回転のただ一通りで演奏される構成が示されていると受け取れる。
【０００７】
しかしながら、レコード盤は、毎分３３と１／３回転だけ回転するもの、毎分４５回転だけ回転のもの等がある。
従って、スクラッチ演奏の演奏者によっては、上述構成のディジタル信号再生システムを用いてスクラッチ演奏する場合に単位時間当りの回転数が毎分４５回転のレコード盤からのアナログ信号の出力を操作することでディジタル信号の出力を制御するほうが操作し易いという場合が考えられる。
【０００８】
他方、上記特許出願に係るディジタル信号再生システムに対して毎分４５回転だけ回転するレコード盤を用意するということは、ＣＤ等からのディジタル信号の出力を制御するための特殊な構成のレコード盤を用意するということを意味する。
つまり、斯様な機能を行い得る毎分４５回転だけ回転するレコード盤を新たに用意するということは、制御用の信号を生成するレコードは特別に製作するすることになり、コストが大きくなるという問題が生じて来る。
又、毎分３３と１／３回転だけ回転のレコード盤と毎分４５回転だけ回転のレコード盤を用意しても、それらを使い分けて演奏する際には、レコード盤を交換する必要が生じ、取扱いが繁雑であり且つレコード盤の交換のため時間を必要とするという問題が考えられる。殊に、演奏の途中でレコード盤の単位時間当りの回転数を例えば毎分３３と１／３回転から毎分４５回転に変えることは実質的にできないという問題があった。
【０００９】
この発明は上述した問題点に鑑みてなされたものであって、レコード盤からのアナログ信号に基づいてディジタル式の記録媒体からの再生信号をシリアルなタイムデータで対応付けて出力させるディジタル信号再生システムにおいて、レコード盤の再生演奏が単位時間辺りで相異なった回転数であっても、つまり例えば毎分３３と１／３回転だけ回転するレコード盤と毎分４５回転だけ回転するレコード盤のいずれであっても対応付いて演奏が行われ、又、演奏者がレコード盤の回転数を任意に選択して切換える際にその切換え作業が簡便で且つ短時間で行うことのできるディジタル信号再生システムを提供するものである。
【課題を解決するための手段】
【００１０】
この発明は、ノーマル演奏の単位時間当りの回転が唯一種類のレコード盤をレコードプレーヤ装置が単位時間当りで相異なる複数の回転数で回転させ、且つ、それら単位時間当りで相異なる複数の回転数に対応してレコード盤からアナログ信号が生成されるが、その生成されたアナログ信号に基づきＣＰＵはそれぞれの単位時間当りの回転数に対応してディジタル信号の出力を制御する構成としたディジタル信号再生装置である。
【００１１】
その詳細な構成は、レコード盤を単位時間当りで相異なる複数の回転数で再生演奏するレコードプレーヤ装置と、そのレコードプレーヤ装置で再生演奏でピックアップされると、そのピックアップされている部位の位置、回転の方向及び回転の速さを示すシリアルにタイムデータ化された情報がアナログ信号で生成されるレコード盤と、シリアルにタイムデータ化されたディジタルデータを記録媒体から再生して得られる再生信号を、そのシリアルなタイムデータに対応させて前記レコード盤からのアナログ信号に基づき出力し得るディジタル信号再生手段が備えられ、上記レコード盤が、単位時間当りで相異なる複数の回転数から任意に選択した回転数で上記レコードプレーヤ装置で再生演奏されると、レコード盤からのアナログ信号を前記選択した時間当りの回転数に対応して、記録媒体から再生して得られる上記再生信号が出力させるように構成されたディジタル信号再生システムである。
【００１２】
又、本発明のディジタル信号再生システムとして、レコードプレーヤ装置でレコード盤の再生演奏の単位時間当りの回転数が切換えられた際には、その切換えの時点から切換えで求めた新たな単位時間当りの回転数でターンテーブル７が回転するように擬似的に補完する切換え補完手段が備えられてなるものが挙げられる。
切換え補完手段は、具体的に、ディジタル信号再生手段の側にメモリを有するＣＰＵが備えられ、そのＣＰＵが、レコード盤の再生演奏の側からの単位時間当りの回転数を切換える旨のインフォメーション信号を受け取ると、レコード盤の単位時間当りの回転数が切換わるに要する時間の間だけ単位時間当りの回転数が切換わり中のレコード盤からのアナログ信号が示す移動量と角速度を無視し、新たな単位時間当りの回転数の条件下での移動量と角速度に基づいて再生ディジタルデータの出力を制御し、レコード盤の側が安定して切換わった新たな単位時間当りの回転数で回転する状態になるまでに要する時間の間だけ経過するとそれに対応して再生ディジタルデータの出力を制御するように機能するものが挙げられる。
切換え補完手段の上記の構成は単位時間あたりの回転数を切換えた時点から新たな単位時間当りの回転数に対応してディジタル再生信号が出力される構成であるが、レコード盤の回転が単位時間あたりの回転数に切換え終えた時点から新たな単位時間当りの回転数に対応してディジタル再生信号が出力される構成のものも挙げられる。
【発明の効果】
【００１３】
この発明は、レコード盤をレコードプレーヤ装置によって単位時間当りで相異なる複数の回転数で回転させ、且つ、それら単位時間当りで相異なる複数の回転数に対応してレコード盤からアナログ信号が生成されるが、その生成されたアナログ信号に基づきＣＰＵがそれぞれの単位時間当りの回転数に対応してディジタル信号の出力を制御する構成としたことにより、ノーマル演奏の単位時間当りの回転数が唯一種類のレコード盤であっても単位時間当りで相異なる複数の回転数で回転させて、それぞれの回転に対応して再生されたディジタル信号の出力を得ることが可能なディジタル信号再生システムである。
【発明を実施するための最良の形態】
【００１４】
以下において図面に基づき、本発明の実施の形態例を詳細に説明する。しかし、この形態例によって本発明が限定されるものではない。
ディジタル信号再生システムであるオーディオ装置１は、レコード盤２と、レコードプレーヤ装置３及びディジタル信号再生手段４を備えて構成されている。
【００１５】
レコード盤２は、レコードプレーヤ装置３に載置され回転されてピックアップ手段６と相対的に摺動することによって演奏されると（図１及び図２を参照）、その演奏でピックアップされる部位の位置、回転の方向及び回転の速さを示すためのアナログ信号が二つのチャンネルで生成するように音溝が形成されているものである。
つまり、レコード盤２には、回転されて演奏する際にその演奏の時間的な位置、方向及び演奏の速さを検出が可能となるように、信号加工することによって結果的にシリアルクロック信号とフレームシンク信号を出力するようにカットされた左チャンネル（音溝のカット）、及び、タイムコードデータ信号を出力するようにカットされた右チャンネル（音溝のカット）がそれぞれ形成されており、それら両チャンネルは互いに異なる位相のパルス状の信号が得られるための信号が記録されている（図３を参照）。
【００１６】
レコード盤２は、スクラッチ演奏ではない演奏者から回転力が加わらないノーマル演奏において、レコードプレーヤ装置３によって本来は毎分３３と１／３回転で再生演奏されるように構成されている。
【００１７】
他方、ディジタル式の記録媒体であるＣＤには、記録されているディジタル信号が再生される際にその位置を時間によって示すためのタイムデータが記録されている。
よって、レコード盤２からのアナログ信号として、ＣＤのディジタル信号の演奏部位に係るタイムデータに対応するタイムデータを対応付けて記録されており、レコード盤２からのアナログ信号に基づいて、ＣＤの対応付くタイムデータのディジタル信号が出力され得る構成が得られている。
【００１８】
レコードプレーヤ装置３は、オーディオ装置１の上部に配設されている。
レコードプレーヤ装置３は、レコード盤２を載置して回転させるためのターンテーブル７と、ピックアップ手段６がレコード盤２と相対的に摺動して信号をピックアップするように保持するためのアーム８が備えられており、レコード盤２の再生演奏、つまり、ターンテーブル７に載置され回転されたレコード盤２からピックアップ手段６を介してアナログ信号を再生するものである。
【００１９】
レコードプレーヤ装置３は天板部分に、操作パネル９が配設されている。
操作パネル９には、オーディオ装置１のメイン電源スイッチ、ターンテーブル７の単位時間当りの回転数を毎分３３と１／３回転だけの回転と毎分４５回転だけの回転のいずれかを選択する操作スイッチ（図示省略）が含まれて構成されている。
【００２０】
ディジタル信号再生手段４は、検出手段５と、アンプ１０と、ＣＤ再生手段１８と、ＲＦアンプ１９と、デコーダ２０と、ディジタル・シグナル・プロセッサ２１（以下、ＤＳＰ２１と称する。）と、メモリ２２と、Ｄ−Ａ変換器２３及び出力端子２６が備えられている。
【００２１】
検出手段５は、レコードプレーヤ装置３がレコード盤２を演奏してピックアップ手段６がアナログ信号を出力すると、その信号を入力してピックアップ手段６がレコード盤２からアナログ信号をピックアップした部位の位置、演奏の方向及び演奏の速さを検出するためのものである。
検出手段５は、アンプ１０と、方向検出部１１と、移動量検出部１２と、速さ検出部１３、タイムコード検出部１４及びＣＰＵ１５を備えて構成されている。
【００２２】
アンプ１０は、ピックアップ６と検出手段５の間に介在され、ピックアップ手段６がレコード盤２からピックアップしたアナログ信号を、後述する方向検出部１１と、移動量検出部１２と、速さ検出部１３及びタイムコード検出部１４がそれぞれ検出し易いレベルに増幅するためのものである。
【００２３】
方向検出部１１は、ＣＰＵ１５と共働して、ピックアップ手段６がレコード盤２からピックアップしたアナログ信号の左チャンネルと右チャンネルとの位相差に基づいき、そのアナログ信号をピックアップした際のレコード盤２が回転する方向を検出するためのものである。
【００２４】
移動量検出部１２は、ＣＰＵ１５と共働して、ピックアップ手段６からのアナログ信号をカウントして得たパルス数に基づき、ピックアップ手段６がレコード盤２からアナログ信号をピックアップしている際のレコード盤２が回転して移動した量を検出するためのものである。
【００２５】
速さ検出部１３は、ＣＰＵ１５と共働して、ピックアップ手段６がレコード盤２からピックアップしたアナログ信号のパルス数のカウント結果を微分し、アナログ信号をピックアップする際の速さ、つまり、ピックアップ手段６がレコード盤２からアナログ信号を読取っている時のレコード盤２の回転する速さを検出するためのものである。
【００２６】
タイムコード検出部１４は、ＣＰＵ１５と共働して、ピックアップ手段６からのアナログ信号に基づき、ピックアップ手段６がレコード盤２からアナログ信号をピックアップしている際のピックアップ手段６がレコード盤２からアナログ信号を読取った部位の位置に対応する絶対時間を検出するためのものである。
【００２７】
ＣＤプレーヤ手段１８は、ＣＤを載置して回転駆動し回転駆動手段１６、回転駆動手段１６に載置して回転駆動されているＣＤつまり演奏中のＣＤからディジタルの信号をピックアップするピックアップ手段１７等を有して構成されている。
ＣＤプレーヤ手段１８は、ピックアップ手段１７がＣＤから上記信号と共に再生演奏がされている対応部分の絶対時間（ＣＤの一曲目からの位置時間）を示す信号をピックアップする構成になっている。
【００２８】
ＲＦアンプ１９は、ＣＤプレーヤ手段１８から演奏中のＣＤからの再生信号（ディジタルの再生信号）を入力すると、後段でデコードが可能になるレベルにまで増幅して、デコーダ２０に出力するものである。
デコーダ２０は、ＲＦアンプ１９で適切なレベルに増幅された信号を入力し、そのエンコードされている信号を元の状態に復調し、タイムデータに関してはＣＰＵ１５に、再生信号に関してはＤＳＰ２１にそれぞれ出力するものである。
【００２９】
ＤＳＰ２１は、デコーダ２０から再生信号に関する信号（ディジタルデータ）を受けて、メモリ２２に送って格納させるものである。
この際、ＤＳＰ２１は、ディジタル再生信号に係るディジタルデータを、ＣＰＵ１５が入力するタイムデータと対応するようにメモリ２２に格納するものである。
【００３０】
又、ＤＳＰ２１は、通常演奏時であるレコード盤２の回転に外力を加えない状態の演奏の際には、ＣＰＵ１５の制御信号に基づいて、結果的にメモリ２２に格納されている再生信号を格納した順序で読み出してＤ−Ａ変換部２３に送る構成になっている。
つまり、ＤＳＰ２１はＣＰＵ１５の制御信号に基づき、レコード盤２でアナログ信号がピックアップされる部位に対応するフレーム、再生方向及び再生速さの制御がなされたディジタル再生信号を、Ｄ−Ａ変換部２３を介して結果的に再生されたアナログ信号として出力させるためのものである。
ここで、Ｄ−Ａ変換部２３は、メモリ２２に格納されているディジタルの再生信号をアナログ信号に変換して出力するものである。
【００３１】
オーディオ装置１の本体の前部に、ディジタル信号再生手段４の操作部２４が配設されている。
操作部２４の正面中央に、演奏対象のＣＤをスロットインさせて回転駆動手段１６に載置させるため及び演奏終了後のＣＤをスロットアウトさせるための開口部２５が開設されている。
【００３２】
ディジタル信号再生手段４の操作部２４には、演奏が行われるとつまりＣＤ再生手段１８がＣＤを演奏するとその演奏で出力されている信号についての情報を表示する表示パネル２７が設けられている。
表示パネル２７は、レコード盤６のノーマル演奏においてスタートからの経過時間、つまり、タイムデータに基づく経過時間をも表示するものである。
オーディオ装置１の本体の側部に、ディジタル信号再生手段４で得られたアナログ再生信号を外部に出力するための出力端子２６が配設されている。
又、操作部２４には、表示パネル２７、旭送り及び曲戻しの操作を行うためのスイッチ類２８等が設けられている。
【００３３】
ディジタル信号再生手段４は、上述の構成に加えて、演奏者がレコードプレーヤ装置３の操作パネル９を操作してターンテーブル７の単位時間当りの回転数を、毎分３３と１／３回転だけの回転と毎分４５回転だけの回転からいずれかを任意に選択し、レコードプレーヤ装置３がレコード盤２をその選択した単位時間当りの回転数で回転して再生演奏すると、レコード盤２からのアナログ信号を前記選択した単位時間当りの回転数に対応して、記録媒体から再生して得られるディジタル再生信号を出力させるように構成されている。
【００３４】
レコードプレーヤ装置３のターンテーブル７の選択した単位時間当りの回転数に対応してディジタル信号再生手段４からディジタル再生信号が出力される機能の手段は、レコードプレーヤ装置３の操作パネル９、ディジタル信号再生手段４のＣＰＵ１５、それらを接続するライン（図示省略）から主に構成されている。
つまり、演奏者が操作パネル９を操作してターンテーブル７の単位時間当りの回転数を毎分３３と１／３回転だけの回転と毎分４５回転だけの回転からいずれかを選択すると、その選択した内容が上記ラインを介してＣＰＵ１５に入力される。
ここで、ＣＰＵ１５は選択された単位時間当りの回転数に対応して、方向検出部１１と、移動量検出部１２と、速さ検出部１３及びタイムコード検出部１４からの信号を処理する。
【００３５】
オーディオ装置１の全体構成及び各部は、上述したように構成されている。
以下において、図面に基づいて、オーディオ装置１の操作使用を詳述する。
【００３６】
演奏者はまず最初に、操作パネル９を操作してオーディオ装置１に電源を入れる。
続いて、操作者は、レコードプレーヤ装置３のターンテーブル７にノーマル演奏時の回転が毎分３３と１／３回転だけの回転であるレコード盤２を載置し、ディジタル信号再生手段４の開口部２５から演奏したいＣＤをスロットインする。
【００３７】
ここで、演奏者は自分が得意とする毎分３３と１／３回転だけの回転でレコード盤２が回転するように操作パネル９でターンテーブル７の単位時間当りの回転数を選択設定すると、操作パネル９からターンテーブル７の駆動用モータ（図示省略）には出力が毎分３３と１／３回転だけの回転であるという設定の信号が、検出手段５のＣＰＵ１５にはピックアップ手段６からのアナログ信号はレコード盤２が毎分３３と１／３回転だけの回転で駆動されている際に生成されるものであることを知らせるインフォメーション信号がそれぞれ送られる。
インフォメーション信号は具体的に、操作パネル９でのレコードプレーヤ装置３のターンテーブル７の毎分当りの回転数の選択によって生成されるものであって、ＣＰＵ１５に送られる。他に、ＣＰＵ１５が予めレコード盤２の毎分３３と１／３回転のノーマル回転におけるパルス数を記憶し、そのノーマル回転のパルス数と入力され来るレコード盤２からの信号のパルス数を比較することによってターンテーブル７の単位時間当りの回転数を得るという方法も挙げられる。
【００３８】
ここで、演奏者がレコードプレーヤ装置３及びディタルオーディオ再生手段４を作動させると、レコードプレーヤ装置３においてターンテーブル７が毎分３３と１／３回転だけ回転するのでこのターンテーブル７に載置されたレコード盤２は毎分３３と１／３回転だけ回転され、この回転によってレコード盤２がピックアップ手段６と相対的に摺動してレコード盤２にカットされたアナログ信号がピックアップされてアンプ１０に送られる。
アンプ１０は、ピックアップ手段６からのアナログ信号を入力すると、方向検出部１１と、移動量検出部１２と、速さ検出部１３及びタイムコード検出部１４がそれぞれ検出し易いレベルに増幅して検出手段５に送る。
【００３９】
検出手段５は、アンプ１０からのアナログ信号を入力すると、方向検出部１１がレコード盤２にカットされて記録された二つのチャンネルの信号位相差に基づいてレコード盤２の回転方向を検出する。
移動量検出部１２は、前記二つのチャンネルから単位時間当りに入力される単信号のパルス数を算出する。
尚、この移動量検出部１２がパルス数を算出し、その算出結果をＣＰＵ１５が入力する際に、ＣＰＵ１５は、移動量検出部１２の入力したアナログ信号はレコード盤２が毎分３３と１／３回転で回転している場合であるということでディジタル信号再生手段４が再生したフレームに割り付けて移動量を算出する。
【００４０】
速さ検出部１３は、移動量検出部１２で得られた移動量を微分することによって、移動の速さつまりレコード盤２の角速度を検出する。
尚、速さ検出部１３の検出した角速度も、上記と同様に、ＣＰＵ１５がその検出結果を入力する際、移動量検出部１２の入力したアナログ信号はレコード盤２が毎分３３と１／３回転で回転している場合であるという条件の下で受け取る。
【００４１】
タイムコード検出部１４は、振幅変調された正弦波をレベルコンパレータ（図示省略）によってアナログ信号をディジタル信号に変換し、且つ、複数個の比較レベルのコンパレータを通過させ、その際に複数個の比較レベルのコンパレータを通すことになるが、そのことにピックアップ手段６の位置を示すタイムデータは、結果的にタイムデータを意味する同期式シリアル信号に変換されてＣＰＵ１５に送られることになる。
尚、同期式シリアル信号に変換されたタイムデータも、上記と同様に、ＣＰＵ１５がそのタイムデータを入力する際、タイムコード検出部１４の入力したアナログ信号はレコード盤２が毎分３３と１／３回転で回転している場合であるという条件の下で受け取る。
【００４２】
他方、この時のディジタル信号再生手段４では、ＣＤプレーヤ手段１８が回転駆動手段１６に回転されている前記ＣＤからピックアップ手段１７によってエンコードされて記録された前記ＣＤのディジタルデータがＲＦ信号としてピックアップされる。
ＣＤプレーヤ手段１８によってピックアップされた前記ＲＦ信号のディジタルデータは、デコーダ２０によってエンコードする前のディジタルデータに変換され、ＣＰＵ１５にタイムデータが、ＤＰＳ２１に再生信号がそれぞれ送られる。
【００４３】
ディジタル信号再生手段４は更に、ＣＤに記録されているＴＯＣ情報を読取ってから、一曲目の曲頭をサーチし、ピックアップ手段１７をその位置に対応付けるように移動させる。
ＣＰＵ１５は、デコーダ２０から入力されるタイムデータに基づいてピックアップ手段１７の読取り位置を監視し、移動を終了した時点でＤＳＰ２１に再生信号の格納をメモリ２２に対して行い、検出部４で得られているレコード盤２の回転方向である演奏の方向、移動量（演奏量）、演奏の速さを算出する。
ＣＰＵ１５は更にその算出結果に従って、ＤＳＰ２１がメモリ２２から前記格納の再生信号を読み出してＤ−Ａ変換部２３に送るように制御信号を出力する。
【００４４】
ＣＰＵ１５は、ＤＳＰ２１がＣＰＵ１５からの前記制御信号に基づいてピックアップ手段６の針がレコード盤２上で演奏してアナログ信号をピックアップしている部位の位置に対応するＣＤの部位（フレーム）の再生信号を受信したか否かを判断する。
ここで、ＣＰＵ１５は、ＤＳＰ２１がレコード盤２の演奏の部位に対応してＣＤの部位（フレーム）の再生信号を受け取っていないと判断すると、レコード盤２の演奏の部位とこれに対応するＣＤの部位（フレーム）の再生信号を一致させるように制御する。
この時、メモリ２２から呼び出される再生信号は、ＤＳＰ２１を介してＤ−Ａ変換部２３に出力されることになる。
【００４５】
他方、ＣＰＵ１５が、ＤＳＰ２１がレコード盤２の演奏の部位に対応してＣＤの部位（フレーム）の再生信号を受け取っていると判断すると、ＤＳＰ２１はＣＰＵ１５の制御信号に基づき、その時のＣＤの演奏部位（フレーム）をレコード盤２の演奏の部位と対応するようにアドレスを変更する。
ここで、レコード盤２の演奏の部位の位置と、メモリ２２から出力される再生信号のフレームつまりアドレスは互いに対応することになる。
【００４６】
Ｄ−Ａ変換部２３は、そのディジタル信号の再生信号をアナログ信号の再生信号に変換して出力端子２６に送る。
ここで、出力端子２６はアナログの再生信号を後段に送るが、後段では増幅等の加工が行われた後に、再生信号は結果的に音声となってスピーカ（図示省略）から出力される。
この際、前記スピーカから出力される音声つまりＣＤの再生音声は、レコード盤２がレコードプレーヤ装置３によって演奏されている方向と速さに対応しており、つまり、ＣＤを通常の演奏の方向で且つ通常の演奏速さの再生音声で出力されている。
【００４７】
ここで、演奏者がレコード盤２若しくはターンテーブル７に回転力を加えてスクラッチ演奏を行うと、レコード盤２はその加えられた回転力に対応して回転し（停止状態、逆方向回転等も含む）、このスクラッチ演奏に対応してピックアップ手段６はレコード盤２から制御のためのアナログ信号をピックアップして検出手段５に送る。
検出手段５は、アナログ信号を入力すると、方向検出部１１、移動量検出部１２、速さ検出部１３及びタイムコード検出部１４がそれぞれ上述したと同様に機能して、ＣＰＵ１５にその処理信号を送る。
【００４８】
ここで、ＣＰＵ１５は、方向検出部１１、移動量検出部１２、速さ検出部１３及びタイムコード検出部１４からのそれぞれの処理信号を受け取るが、アンプ１０からのアナログ信号がレコード盤２が毎分３３と１／３回転で回転している場合であるという条件の下で各処理信号を受け取る。
ＣＰＵ１５は、レコード盤２からのスクラッチ演奏に基づく制御信号を受けてその制御信号に対応させて、ＤＳＰ２１にメモリ２２からのディジタル信号の出力を制御する。
【００４９】
レコードプレーヤ装置３によるレコード盤２の演奏中に、例えば演奏者が代わることでレコード盤２の演奏回転を毎分３３と１／３回転から毎分４５回転に切換える場合には、新たな演奏者はまず、レコードプレーヤ装置３の操作パネル９でターンテーブル７の回転が毎分３３と１／３回転から毎分４５回転になるように切換える操作を行う。
【００５０】
演奏者がレコードプレーヤ装置３の操作パネル９を操作してターンテーブル７の単位時間当りの回転数を切換えると、操作パネル９から、ターンテーブル７の駆動用モータ（図示省略）に出力が毎分４５回転で回転するための設定の信号（制御信号）が、検出手段５のＣＰＵ１５にピックアップ手段６からのアナログ信号はレコード盤２が毎分４５回転だけの回転で駆動されている際に生成されるものであることを知らせるインフォメーション信号がそれぞれ送られる。
【００５１】
ここで、ＣＰＵ１５は、レコード盤２が毎分４５回転だけの回転で駆動されている際に生成されるものであることを知らせるインフォメーション信号を受け取ると、移動量検出部１２と速さ検出部１３から入力されるレコード盤２の回転情報である移動量及び角速度もレコード盤２が毎分４５回転で回転している場合であるという条件の下で受け取ることになる。
また、同期式シリアル信号に変換されたタイムデータも、上記と同様に、ＣＰＵ１５がそのタイムデータを入力する際、タイムコード検出部１４の入力したアナログ信号はレコード盤２が毎分４５回転で回転している場合であるという条件の下で受け取ることになる。  
【００５２】
つまり、ＣＰＵ１５は、演奏者がレコードプレーヤ装置３の操作パネル９で設定したスクラッチ演奏のないノーマル演奏時に毎分４５回転で回転するという条件下において、レコード盤２が毎分３３と１／３回転から４５回転に切換わったことに対応させるようにレコード盤２からのアナログ信号の正弦波の周期を算出し、その算出結果に基づいたレコード盤２の回転情報をＤＳＰ２１に送る。
ＤＳＰ２１は、上記のＣＰＵ１５からの回転情報に基づいてメモリ２２からディジタル信号の出力を制御する。
【００５３】
上述したように、演奏者がレコードプレーヤ装置３のターンテーブル７の単位時間当りの回転数を毎分３３と１／３回転から毎分４５回転に切換えると、ターンテーブル７の駆動用モータの新たに選択設定された単位時間当りの回転数に対応してディジタル信号再生手段４からのディジタル信号の出力が切換わる。
従って、演奏者は、レコード盤２がノーマル演奏が毎分３３と１／３回転用のものであるにも拘わらず、レコードプレーヤ装置３のターンテーブル７の単位時間当りの回転数が毎分４５回転に対応してディジタル信号再生手段４からのディジタル信号の出力され、スクラッチ演奏も同様に機能するので、違和感なく演奏を行うことができる。
【００５４】
他方、ターンテーブル７の駆動用モータ（図示省略）は、出力が毎分３３と１／３回転から毎分４５回転に回転速度を切換える際に、その機能上において切換え時に対するタイミング遅れの要素を含まれることになり、又、レコード盤２を載置しているターンテーブル７の重量に基づく大きな回転方向の負荷つまり慣性力がターンテーブル７の駆動用モータに加わることになる。
従って、ターンテーブル７及びその駆動用モータは結果として、本来的には、単位時間当りの回転数を切換えた際に、演奏者が切換えて求めた新たな単位時間当りの回転数で回転される状態になるまでには短いながらもいくらかの時間（タイムラグ）を要するという問題が生じる。
【００５５】
斯かる問題に対して、オーディオ装置１は、レコードプレーヤ装置３のターンテーブル７の単位時間当りの回転数が切換えられた際に生じる切換え追従に係るタイムラグを補って、単位時間当りの回転数を切換えた時点から演奏者が切換えて求めた新たな単位時間当りの回転数でターンテーブル７が擬似的に回転しているように補完するための切換え補完手段が備えられている。
つまり、その詳細な構成は、ＣＰＵ１５がレコードプレーヤ装置３のターンテーブル７の単位時間当りの回転数を切換える旨のインフォメーション信号を受け取ると、ターンテーブル７の単位時間当りの回転数が切換わるに要する時間の間だけ単位時間当りの回転数が切換わり中のレコード盤２からのアナログ信号が示す移動量と角速度を無視する機能と、ＣＰＵ１５そのものに内設されたメモリ（図示省略）から出力される切換わった新たな単位時間当りの回転数である毎分４５回転の条件下での移動量と角速度に基づいてＣＰＵ１５がＤＳＰ２１を制御する機能と、ターンテーブル７が安定して切換わった新たな単位時間当りの回転数で回転する状態になるまでに要する時間の間だけ経過するとＣＰＵ１５がレコード盤２からのアナログ信号に基づいてＤＳＰ２１を制御するように切換える機能からなる。
【００５６】
レコードプレーヤ装置３においてターンテーブル７の駆動用モータ（図示省略）は、毎分３３と１／３回転の定常の回転出力から毎分４５回転の定常の回転出力に移行して切換わるまでの間、毎分３３と１／３回転と毎分４５回転の間の値で回転を行なっている。
しかしながら、ディジタル再生手段４の信号出力（演奏）は、上記の回転出力の移行の切換え期間において、上記切換え補完手段が機能する。
つまり、レコード盤２がレコードプレーヤ装置３によって毎分３３と１／３回転されている際に、演奏者が交替して新たな演奏者が操作パネル９を操作してターンテーブル７の単位時間当りの回転数を毎分３３と１／３回転から毎分４５回転に切換え操作を行う。
【００５７】
ここで、操作パネル９からＣＰＵ１５に上記切換え補完手段の作用を行なうためのインフォメーション信号が送られる。
ＣＰＵ１５は、上記インフォメーション信号を受けると、ターンテーブル７が毎分３３と１／３回転から毎分４５回転に単位時間当りの回転数が切換わるに要する時間の間だけ単位時間当りの回転数が切換わり中のレコード盤２からのアナログ信号が示す移動量と角速度を無視するよう制御し、又、ＣＰＵ１５そのものに内設された上記メモリから出力される切換え目標の毎分４５回転の条件下での移動量と角速度に基づいて、ＣＰＵ１５がＤＳＰ２１の出力を制御し、更に、ターンテーブル７が安定して切換わった毎分４５回転の回転数で回転する状態になるまでに要する時間の間だけ経過すると、ＣＰＵ１５がレコード盤２からのアナログ信号に基づいてＤＳＰ２１を制御するように作用する。
【００５８】
従って、ディジタル信号再生システム１は、演奏者が操作パネル９でレコードプレーヤ装置３のターンテーブル７の単位時間当りの回転数を毎分３３と１／３回転から毎分４５回転に切換える操作を行うと、上記切換え補完手段が作用して、その切換え操作と共にターンテーブル７の単位時間当りの回転数が毎分４５回転であるとしてＣＰＵ１５がＤＳＰ２１に出力の制御を行う。
そうして、この時のディジタル信号再生システム１において、レコードプレーヤ装置３のターンテーブル７の単位時間当りの回転数が毎分３３と１／３回転から毎分４５回転に切換ったことで影響を受ける手段はない。
【００５９】
他方、ディジタル信号再生システム１では、ターンテーブル７の毎分当りの回転数を３３と１／３回転から４５回転に切換えても、この切換えと共に、ＣＰＵ１５がＤＳＰ２１にターンテーブル７が毎分４５回転で模擬的に回転している状態で制御しているので、ターンテーブル７の毎分当りの回転数が３３と１／３回転から４５回転に移行するまでのタイムラグ及びターンテーブル７の毎分当りの回転数が３３と１／３回転から４５回転に移るまでの変化する回転が反映されたＣＰＵ１５からのＤＳＰ２１への制御が生じることはない。
【００６０】
よって、ディジタル信号再生システム１は、レコードプレーヤ装置３のターンテーブル７の単位時間当りの回転数が毎分３３と１／３回転から毎分４５回転に切換った時点から、毎分４５回転のレコードからのアナログ信号に基づいて、ＤＳＰ２１がメモリ２２に格納のディジタルデータを出力させる。
そうして、メモリ２２からのディジタルデータは結果的に出力端子２６を介してアナログの再生信号となって結果的に上記スピーカから音声となって出力される。この音声は、上記切換え操作と共にターンテーブル７が毎分４５回転のアナログ信号制御に対応したものであり、ターンテーブル７の上記単位時間当りの回転数の切換えによるタイムラグや毎分の回転数が３３と１／３回転から４５回転に移行する回転速さが反映された出力ではない。
【００６１】
ここで、演奏者は、毎分４５回転で回転しているターンテーブル７に載置のレコード盤２に対してスクラッチ演奏を行うと、ＣＰＵ１５は毎分４５回転がノーマル演奏であると切換えてＤＳＰ２１を制御する。
よって、演奏者のスクラッチ演奏に、メモリ２２に格納のディジタルデータは対応して出力される。
【００６２】
尚、ターンテーブル７の駆動用モータ（図省略）を毎分３３と１／３回転と４５回転で他方側に切換えた際には、インフォメーション信号がトリガーとなって、ＣＰＵ１５においてレコード盤２からのアナログ信号に含まれているパルス数を切換えた単位時間当りの回転数に対応させたものに加工して、ＤＳＰ２１の制御を行う構成になっている。
【００６３】
又、上述の切換え補完手段の上記の構成は単位時間あたりの回転数を切換えた時点から新たな単位時間当りの回転数に対応してディジタル再生信号が出力される構成であるが、レコード盤の回転が単位時間あたりの回転数に切換え終えた時点から新たな単位時間当りの回転数に対応してディジタル再生信号が出力される構成のものも挙げられる。
【００６４】
ディジタル信号再生システム１は上述したように、ノーマル演奏で毎分３３と１／３回転のレコード盤２だけで、毎分４５回転の演奏に対応ができており、単位時間当りの回転数が相異なる複数種類のレコード盤を用意する必要がない。
【００６５】
そうして、ディジタル信号再生システム１は上述したように、レコード盤２の演奏回転が毎分３３と１／３回転であっても毎分４５回転であっても選択した回転数に対応して再生のディジタル信号が出力されるので、レコード盤２の演奏回転数に拘わらずＣＤ本来の再生ディジタル信号が得られている。
【００６６】
ディジタル信号再生システム１は、切換え補完手段を備えていることにより、単位時間あたりの回転数を切換えた時点から又はレコード盤２の回転が切換え終えた時点から新たな単位時間当りの回転数に対応してディジタル再生信号が出力されるので、前者では切換えによってタイムラグが生じることはなく、又、切換え中の移行による単位時間当りの回転数が不安定なレコード盤２に対応して再生ディジタル信号が出力されるという事態も発生しない。
【００６７】
ディジタル信号再生システム１は、記録媒体としてＣＤを挙げているが、音声と映像を共に含んだＤＶＤであってもよい。
又、記録媒体がＤＶＤである場合、スクラッチ演奏又は／及び針飛びの際に、映像は音声とは関わりのないものが出力される構成であってもよい。
【図面の簡単な説明】
【００６８】
【図１】本発明の実施の一形態例のディジタル信号再生システムの電気的な構成を示す機能ブロック図である。
【図２】図１に示す実施の形態例のディジタル信号再生システムの構成を示す斜視図である。
【図３】図１に示す実施の形態例のディジタル信号再生システムにおいて、レコード盤から生成されるアナログ信号の波形の形状を示す構成説明図である。
【符号の説明】
【００６９】
１：    ディジタル信号再生システムとしてのオーディオ装置
２：    レコード盤
３：    レコードプレーヤ装置
４：    検出手段
５：    ディジタル信号再生装置としての再生手段
６：    ピックアップ手段
９：    操作パネル
１５：  ＣＰＵ
１８：  ＣＤプレーヤ手段
２１：  ＤＳＰ
２２：  メモリ
【図１】
2005276318.tif 000003
【図２】
2005276318.tif 000004
【図３】
2005276318.tif 000005
【手続補正書】
【提出日】平成16年3月29日(2004.3.29)
【手続補正１】
【補正対象書類名】明細書
【補正対象項目名】００３２
【補正方法】変更
【補正の内容】
【００３２】
ディジタル信号再生手段４の操作部２４には、演奏が行われるとつまりＣＤ再生手段１８がＣＤを演奏するとその演奏で出力されている信号についての情報を表示する表示パネル２７が設けられている。
表示パネル２７は、レコード盤６のノーマル演奏においてスタートからの経過時間、つまり、タイムデータに基づく経過時間をも表示するものである。
オーディオ装置１の本体の側部に、ディジタル信号再生手段４で得られたアナログ再生信号を外部に出力するための出力端子２６が配設されている。
又、操作部２４には、表示パネル２７、曲送り及び曲戻しの操作を行うためのスイッチ類２８等が設けられている。
【手続補正２】
【補正対象書類名】明細書
【補正対象項目名】００６７
【補正方法】変更
【補正の内容】
【００６７】
ディジタル信号再生システム１は、記録媒体としてＣＤを挙げているが、音声と映像を共に含んだＤＶＤであってもよい。
又、記録媒体がＤＶＤである場合、スクラッチ演奏又は／及び針飛びの際に、つまり、スクラッチ演奏を行っている際、針飛びが生じた際、及び、スクラッチ演奏で針飛びが生じた際に、映像は音声とは関わりのないものが出力される構成であってもよい。